(57)【特許請求の範囲】
【請求項１】
光源よりの光を映像信号によりライトバルブを用いて強度変調し、スクリーン上に映像信号を投射する複数の投射型表示装置を組み合わせて表示画面を構成するマルチ画面表示装置において、
上記複数の投射型表示装置のうちの一つがマスター投射型表示装置であり、他の少なくとも一つの投射型表示装置がスレーブ投射型表示装置であり、
上記複数の投射型表示装置の各々に設けられ、当該投射型表示装置の輝度・色度データを記憶する表示特性記憶手段と、
上記スレーブ投射型表示装置に設けられ、上記表示特性記憶手段に記憶されている輝度・色度データを、上記マスター投射型表示装置に送信する手段と、
上記マスター投射型表示装置に設けられ、上記マスター投射型表示装置の表示特性記憶手段に記憶されている輝度・色度データと、上記スレーブ投射型表示装置から送信された輝度・色度データに基づいてマルチ画面全体の目標輝度・色度を算出する目標輝度・色度演算手段と、
上記マスター投射型表示装置に設けられ、上記目標輝度・色度演算手段で算出された上記マルチ画面全体の目標輝度・色度を上記スレーブ投射型表示装置に送信する手段と、
上記複数の投射型表示装置の各々に設けられ、上記マルチ画面全体の目標輝度・色度に基づいて当該投射型表示装置において上記目標輝度・色度を生じさせるための補正係数を演算する補正係数演算手段と、
上記複数の投射型表示装置の各々に設けられ、当該投射型表示装置内の上記補正係数演算手段で算出された補正係数を入力として、当該投射型表示装置に供給された映像信号に対する輝度及び色度の補正を行って、補正された映像信号を出力する輝度・色度補正手段とを具備し、
上記複数の投射型表示装置の各々において、当該投射型表示装置内の上記輝度・色度補正手段から出力される補正された映像信号を上記ライトバルブに供給することで、マルチ画面を構成する映像表示手段の輝度及び色度が上記目標の輝度及び色度に近くなるように制御を行う
ことを特徴とするマルチ画面表示装置。
【請求項２】
光源よりの光を映像信号によりライトバルブを用いて強度変調し、スクリーン上に映像信号を投射する複数の投射型表示装置を組み合わせて表示画面を構成するマルチ画面表示装置において、
上記複数の投射型表示装置のうちの一つがマスター投射型表示装置であり、他の少なくとも一つの投射型表示装置がスレーブ投射型表示装置であり、
上記複数の投射型表示装置の各々に設けられ、当該投射型表示装置の輝度・色度データを記憶する表示特性記憶手段と、
上記スレーブ投射型表示装置に設けられ、上記表示特性記憶手段に記憶されている輝度・色度データを、上記マスター投射型表示装置に送信する手段と、
上記マスター投射型表示装置に設けられ、上記マスター投射型表示装置の表示特性記憶手段に記憶されている輝度・色度データと、上記スレーブ投射型表示装置から送信された輝度・色度データに基づいてマルチ画面全体の目標輝度・色度を算出する目標輝度・色度演算手段と、
上記マスター投射型表示装置内に設けられ、上記マルチ画面全体の目標輝度・色度に基づいて、上記複数の投射型表示装置の各々において上記目標輝度・色度を生じさせるための、上記複数の投射型表示装置の各々のための補正係数を演算する補正係数演算手段と、  上記補正係数演算手段により算出された、上記スレーブ投射型表示装置のための補正係数を上記スレーブ投射型表示装置に送信する手段と、
上記複数の投射型表示装置の各々に設けられ、上記補正係数演算手段で算出された当該投射型表示装置のための補正係数を入力として、当該投射型表示装置に供給された映像信号に対する輝度及び色度の補正を行って、補正された映像信号を出力する輝度・色度補正手段とを具備し、
上記複数の投射型表示装置の各々において、当該投射型表示装置内の上記輝度・色度補正手段から出力される補正された映像信号を上記ライトバルブに供給することで、マルチ画面を構成する映像表示手段の輝度及び色度が上記目標の輝度及び色度に近くなるように制御を行う
ことを特徴とするマルチ画面表示装置。
【請求項３】
上記複数の投射型表示装置のうちの少なくとも一つの投射型表示装置が、主光源と、交換用光源と、上記主光源と上記交換用光源を自動的に交換する交換手段と、上記主光源を使用した時の輝度・色度データと上記交換用光源を使用した時の輝度・色度データに基づいて当該投射型表示装置の複数の光源に共通の輝度・色度データを、当該投射型表示装置の輝度・色度データとして算出し、上記少なくとも一つの投射型表示装置の上記表示特性記憶手段に記憶させる共通輝度・色度演算手段とを備え、
上記少なくとも一つの投射型表示装置に設けられた上記表示特性記憶手段が、当該投射型表示装置において、上記主光源を使用した時の輝度・色度データと上記交換用光源を使用した時の輝度・色度データをも記憶し、
上記少なくとも一つの投射型表示装置に設けられた上記補正係数演算手段が、上記マルチ画面全体の目標輝度・色度に基づき、さらに上記表示特性記憶手段から現に使用されている光源の輝度・色度データを読み出して、これに基づき、当該投射型表示装置において上記目標輝度・色度を生じさせるための上記補正係数を演算し、
上記輝度・色度補正手段から出力される、補正された映像信号を上記ライトバルブに供給することで、マルチ画面を構成する投射型表示装置の輝度及び色度を上記主光源及び上記交換用光源のいずれが使用されていても、目標の輝度及び色度に近くなるような制御が行われる
ことを特徴とする請求項１に記載のマルチ画面表示装置。
【請求項４】
上記複数の投射型表示装置のうちの少なくとも一つの投射型表示装置が、主光源と、交換用光源と、上記主光源と上記交換用光源を自動的に交換する交換手段と、上記主光源を使用した時の輝度・色度データと上記交換用光源を使用した時の輝度・色度データに基づいて当該投射型表示装置の複数の光源に共通の輝度・色度データを、当該投射型表示装置の輝度・色度データとして算出し、上記少なくとも一つの投射型表示装置の上記表示特性記憶手段に記憶させる共通輝度・色度演算手段とを備え、
上記少なくとも一つの投射型表示装置に設けられた上記表示特性記憶手段が、当該投射型表示装置において、上記主光源を使用した時の輝度・色度データと上記交換用光源を使用した時の輝度・色度データをも記憶し、
上記マスター投射型表示装置の上記補正係数演算手段が、上記マルチ画面全体の目標輝度・色度に基づき、さらに上記少なくとも一つの投射型表示装置の上記表示特性記憶手段から読み出される、現に使用されている光源の輝度・色度データに基づき、当該投射型表示装置において上記目標輝度・色度を生じさせるための上記補正係数を演算し、
上記少なくとも一つの投射型表示装置に設けられた上記輝度・色度補正手段が、上記マスター投射型表示装置の補正係数演算手段で算出された当該投射型表示装置のための補正係数に基づき、当該投射型表示装置に供給された映像信号に対する輝度及び色度の補正を行って、補正された映像信号を出力し、
上記輝度・色度補正手段から出力される補正された映像信号を上記ライトバルブに供給することで、マルチ画面を構成する投射型表示装置の輝度及び色度を上記主光源及び上記交換用光源のいずれが使用されていても、目標の輝度及び色度に近くなるような制御が行われる
ことを特徴とする請求項２に記載のマルチ画面表示装置。
【発明の詳細な説明】
【技術分野】
【０００１】
本発明は、複数の投射型表示装置の画面を組合せてより大きな表示画面を構成するマルチ画面表示装置に関し、特にマルチ画面表示装置を設置する際の輝度、色度を調整する作業を自動化することが可能なマルチ画面表示装置に関するものである。
【背景技術】
【０００２】
投射型表示装置は、光源や分光部材の違いにより、個々の製品毎に特性が異なるため、これら複数から構成されるマルチ画面表示装置を設置する際は、投射表示装置間で表示する画面の明るさと色の差を少なくなるように各投射型表示装置を調整する必要がある。
【０００３】
従来のマルチ画面表示装置の一例では、その設置後に、調整者が視感によって個々の投射型表示装置の輝度・色度変換部を操作しマルチ画面の輝度・色度を調整していた。また、マルチ画面表示装置を設置した後、個々の投射表示装置の表示色を投射表示装置内蔵のセンサにて測色し、測色値により所望の色度に補正するものもある（例えば、特許文献１参照）。
【特許文献１】特開平１０−９０６４５号公報（第３−５頁、第１図）
【発明の開示】
【発明が解決しようとする課題】
【０００４】
上記のような調整者の視感にたよる調整では、調整者の熟練度によって仕上がりにばらつきが発生したり、調整時間に差が生じる問題があった。また、マルチ画面表示装置を設置した後、個々の投射表示装置の表示色を投射表示装置内蔵のセンサにて測色し、測色値により所望の色度に補正する方法では、マルチ画面表示装置を構成するすべての投射表示装置に高精度のセンサを設ける必要があってそのための費用がかかる問題や、所望の色度が、用いられる投射型表示装置の色再現可能範囲外となり、補正不可能になる場合があった。
【０００５】
本発明は、上記のような課題を解決し、マルチ画面表示装置を設置するだけで投射表示装置間の輝度・色度の差が少なくなるように自動的に調整するマルチ画面表示装置を提供することを目的とする。
【課題を解決するための手段】
【０００６】
本発明は、
光源よりの光を映像信号によりライトバルブを用いて強度変調し、スクリーン上に映像信号を投射する複数の投射型表示装置を組み合わせて表示画面を構成するマルチ画面表示装置において、
上記複数の投射型表示装置のうちの一つがマスター投射型表示装置であり、他の少なくとも一つの投射型表示装置がスレーブ投射型表示装置であり、
上記複数の投射型表示装置の各々に設けられ、当該投射型表示装置の輝度・色度データを記憶する表示特性記憶手段と、
上記スレーブ投射型表示装置に設けられ、上記表示特性記憶手段に記憶されている輝度・色度データを、上記マスター投射型表示装置に送信する手段と、
上記マスター投射型表示装置に設けられ、上記マスター投射型表示装置の表示特性記憶手段に記憶されている輝度・色度データと、上記スレーブ投射型表示装置から送信された輝度・色度データに基づいてマルチ画面全体の目標輝度・色度を算出する目標輝度・色度演算手段と、
上記マスター投射型表示装置に設けられ、上記目標輝度・色度演算手段で算出された上記マルチ画面全体の目標輝度・色度を上記スレーブ投射型表示装置に送信する手段と、
上記複数の投射型表示装置の各々に設けられ、上記マルチ画面全体の目標輝度・色度に基づいて当該投射型表示装置において上記目標輝度・色度を生じさせるための補正係数を演算する補正係数演算手段と、
上記複数の投射型表示装置の各々に設けられ、当該投射型表示装置内の上記補正係数演算手段で算出された補正係数を入力として、当該投射型表示装置に供給された映像信号に対する輝度及び色度の補正を行って、補正された映像信号を出力する輝度・色度補正手段とを具備し、
上記複数の投射型表示装置の各々において、当該投射型表示装置内の上記輝度・色度補正手段から出力される補正された映像信号を上記ライトバルブに供給することで、マルチ画面を構成する映像表示手段の輝度及び色度が上記目標の輝度及び色度に近くなるように制御を行う
ことを特徴とするマルチ画面表示装置を提供する。
【発明の効果】
【０００７】
本発明によれば、各投射型表示装置の輝度・色度データから目標輝度・色度値を自動的に求めることができ、人間が調整することなく自動的にマルチ画面間で輝度・色度を合わせることができる。
【発明を実施するための最良の形態】
【０００８】
実施の形態１．
図１は、本発明による実施の形態１のマルチ画面表示装置１の構成を模式的に示す。図示のマルチ画面表示装置１は、複数の投射型表示装置２ｍ、２ｓの画面を組合せてより大きな表示画面（大画面）を構成したものである。図示のマルチ画面表示装置１は、２台の投射型表示装置から成り、一方の投射型表示装置２ｍがマスター投射型表示装置であり、他方の投射型表示装置２ｓがスレーブ投射型表示装置である。
マスター投射型表示装置２ｍとスレーブ投射型表示装置２ｓとは概して同じ構成を有する。以下の説明では、マスター投射型表示装置２ｍ、スレーブ投射型表示装置２ｓを単に、「マスター装置」、「スレーブ装置」と呼ぶことがある。
【０００９】
図２に示すように、マスター装置２ｍ及びスレーブ装置２ｓの各々において、光源４ｍ、４ｓからの光をミラー５ｍ、５ｓにより反射し、ライトバルブ６ｍ、６ｓにより、映像信号ＤＶＳｍ、ＤＶＳｓに応じた強度変調を与え、投射レンズ７ｍ、７ｓを介してスクリーン８ｍ、８ｓ上に投射する。ライトバルブ６ｍ、６ｓにおける光の変調は、制御駆動手段１０ｍ、１０ｓにより制御される。
【００１０】
図３は、マスター装置２ｍ及びスレーブ装置２ｓの制御駆動手段１０ｍ、１０ｓを示す。
マスター装置２ｍの制御駆動手段１０ｍは、表示特性記憶手段１１ｍと、通信インターフェース手段１２ｍと、目標輝度・色度演算手段１３ｍと、補正係数演算手段１４ｍと、輝度・色度補正手段１５ｍとを有する。
スレーブ装置２ｍの制御駆動手段１０ｓは、表示特性記憶手段１１ｓと、通信インターフェース手段１２ｓと、補正係数演算手段１４ｓと、輝度・色度補正手段１５ｍとを有する。
【００１１】
マスター装置２ｍの通信インターフェース手段１２ｍとスレーブ装置２ｓの通信インターフェース手段１２ｓは、ＲＳ４２２などの通信ケーブル１６で接続されている。
【００１２】
マスター装置２ｍ、スレーブ装置２ｓは、その製造時に工場において、３原色である赤（Ｒ）、緑（Ｇ）、及び青（Ｂ）、並びに黒（ＢＫ）それぞれを表示した時のＸＹＺ三刺激値（光源や装置内の分光部材の特性に依存する）が測定され、測定値を示す輝度・色度データ（表示特性データ）ＤＳＴｍ、ＤＳＴｓが、マスター装置２ｍ、スレーブ装置２ｓ内部の表示特性記憶手段としてのメモリ１１ｍ、１１ｓに記憶されている。即ち、マスター装置２ｍのメモリ１１ｍには、マスター装置２ｍのＸＹＺ三刺激値ＤＳＴｍが記憶され、スレーブ装置２ｓのメモリ１１ｓには、スレーブ装置２ｓのＸＹＺ三刺激値ＤＳＴｓが記憶されている。
【００１３】
マスター装置２ｍ、スレーブ装置２ｓの通信インターフェース手段１２ｍ、１２ｓはマスター装置２ｍとスレーブ装置２ｓの間での制御用データの通信に用いられるものである。
例えば、スレーブ装置２ｓの通信インターフェース手段１２ｓは、スレーブ装置２ｓの表示特性記憶手段１１ｓに記憶されている輝度・色度データＤＳＴｓをマスター装置２ｍに送信するために使用される。
【００１４】
目標輝度・色度演算手段１３ｍは、マスター装置２ｍの表示特性記憶手段１１ｍに記憶されている輝度・色度データＤＳＴｍと、通信インターフェース手段１２ｓ、１２ｍ、通信ケーブル１６を介して供給されるスレーブ装置２ｓの輝度・色度データＤＳＴｓに基づいて、共通の色再現範囲を算出し、さらにマルチ画面全体の目標輝度・色度Ｃｔを算出する。
【００１５】
マスター装置２ｍ内の補正係数演算手段１４ｍは、目標輝度・色度演算手段１３ｍから目標輝度・色度Ｃｔを受け、さらにメモリ１１ｍから輝度・色度データＤＳＴｍを受け、これらに基づいて、マスター装置２ｍにおいて上記の目標輝度・色度Ｃｔを生じさせるための補正係数ＣＣＧｍを演算する。
マスター装置２ｍ内の輝度・色度補正手段１５ｍは、補正係数演算手段１４ｍから出力される補正係数ＣＣＧｍを入力として、映像信号に対する輝度及び色度の補正を行って、補正された映像信号を出力する。
【００１６】
マスター装置２ｍの通信インターフェース手段１２ｍは、マルチ画面全体の目標輝度・色度Ｃｔをスレーブ装置２ｓに通信する。スレーブ装置２ｓの通信インターフェース手段１２ｓは、マスター装置２ｍから送信されたマルチ画面全体の目標輝度・色度Ｃｔを受信する。
スレーブ装置２ｓ内の補正係数演算手段１４ｓは、マスター装置２ｍの目標輝度・色度演算手段１３ｍから目標輝度・色度Ｃｔを受け、さらにメモリ１１ｓから輝度・色度データＤＳＴｓを受け、これらに基づいてスレーブ装置２ｓにおいてマルチ画面全体の目標輝度・色度Ｃｔを生じさせるための補正係数ＣＣＧｓを演算する。
【００１７】
スレーブ装置２ｓ内の輝度・色度補正手段１５ｓは、補正係数演算手段１４ｓから出力される補正係数ＣＣＧｓを入力として、映像信号に対する輝度及び色度の補正を行って、補正された映像信号を出力する。
【００１８】
マスター装置２ｍ、スレーブ装置２ｓの各々において、輝度・色度補正手段１５ｍ、１５ｓから出力される補正された映像信号をライトバルブ６ｍ、６ｓに供給することで、マルチ画面を構成する映像表示手段の輝度及び色度を目標の輝度及び色度に近くなるような制御が行われる。
【００１９】
以下、目標輝度・色度演算手段１３ｍにおける目標輝度・色度の演算につき詳しく説明する。
【００２０】
マスター装置２ｍ及びスレーブ装置２ｓのメモリ１１ｍ、１１ｓに記憶されているそれぞれの輝度・色度データＤＳＴｍ、ＤＳＴｓは、測定されたＸＹＺ三刺激値（原色である赤（Ｒ）、緑（Ｇ）、及び青（Ｂ）をそれぞれ表示した時のＸＹＺ三刺激値）を表すものであり、これをそれぞれの色再現範囲を示すｘｙ色度図上における三角形の頂点のｘ、ｙ座標を示すデータに変換することで得られるデータが符号ＵＴｍ、ＵＴｓで表される。データＤＳＴｍは、特性係数ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂ、ＸＭＱｋ、ＹＭＱｋ、ＺＭＱｋの集合であり、データＤＳＴｓは、特性係数ＸＳＱｒ、ＹＳＱｒ、ＺＳＱｒ、ＸＳＱｇ、ＹＳＱｇ、ＺＳＱｇ、ＸＳＱｂ、ＹＳＱｂ、ＺＳＱｂ、ＸＳＱｋ、ＹＳＱｋ、ＺＳＱｋの集合である。
【００２１】
マスター装置２ｍ及びスレーブ装置２ｓのそれぞれの色再現範囲の二つの異なる例を図４及び図５に示す。図４及び図５において三角形Ｒ１Ｇ１Ｂ１はマスター装置２ｍの色再現範囲を示し、三角形Ｒ２Ｇ２Ｂ２はスレーブ装置２ｓの色再現範囲を示している。マスター装置２ｍの目標輝度・色度演算手段１３ｍは三角形Ｒ１Ｇ１Ｂ１及び三角形Ｒ２Ｇ２Ｂ２の座標値より、共通領域三角形ＲｔＧｔＢｔの座標値を計算する。共通領域三角形ＲｔＧｔＢｔはマスター装置２ｍとスレーブ装置２ｓのどちらの表示装置においても再現（表示）可能な範囲を表す。
【００２２】
以下、マスター装置２ｍの目標輝度・色度演算手段１３ｍにて共通領域三角形ＲｔＧｔＢｔを求める方法を説明する。
マスター装置２ｍの目標輝度・色度演算手段１３ｍは、まず、マスター装置２ｍ内のメモリ１１ｍに記憶されている赤（Ｒ）のＸＹＺ三刺激値ＤＳＴｍをｘｙ色度座標値ＵＴｍに変換して頂点Ｒ１の座標を求める。同様に、緑（Ｇ）、青（Ｂ）のＸＹＺ三刺激値から、頂点Ｇ１、Ｂ１の座標を求める。次に、スレーブ装置２ｓのメモリ１１ｓから、読み出され送信された赤（Ｒ）、緑（Ｇ）、青（Ｂ）のＸＹＺ三刺激値ＤＳＴｓから、ＸＹ色度座標値ＵＴｓに変換して、頂点Ｒ２、Ｇ２、Ｂ２の座標を求める。
【００２３】
次にこれらの頂点Ｒ１、Ｇ１、Ｂ１、Ｒ２、Ｇ２、Ｂ２の座標に基づいて、共通領域三角形ＲｔＧｔＢｔの座標を算出する。
図６及び図７は、Ｒｔのｘｙ座標値を算出する手順を示す。
図６において、まず、Ｒ１とＲ２（の座標値）が互いに等しいかどうかの判定を行う（Ｓ１）。等しい場合には、Ｒ１＝Ｒ２（の座標値）が即ち求めるＲｔ（の座標値）であるとして（Ｓ２）、終了する。
等しくない場合には、各三角形の各頂点が他方の三角形に内包されているかどうかの判定を行い（Ｓ３、Ｓ４）、内包されていれば、その各頂点（Ｒ１又はＲ２）を共通領域の頂点（Ｒｔ）とする。すなわち、最初に頂点Ｒ１が三角形Ｒ２Ｇ２Ｂ２に内包されているかどうかの判定を行い（Ｓ３）、内包されていれば、頂点Ｒ１をＲｔとする（Ｓ５）。内包されていないときは、次に頂点Ｒ２が三角形Ｒ１Ｇ１Ｂ１に内包されているかどうかの判定を行い（Ｓ４）、内包されていれば、頂点Ｒ２をＲｔとする（Ｓ６）。
【００２４】
内包しているかどうかの判定は、図８（ａ）及び（ｂ）に示す方法で行われる。図８（ａ）及び（ｂ）は、一例として頂点Ｒ１が三角形Ｒ２Ｇ２Ｂ２に内包されているかどうかの判定方法を示す。頂点Ｒ１より各頂点Ｒ２、Ｇ２、Ｂ２へのベクトルをＲ２ｖ、Ｇ２ｖ、Ｂ２ｖとし、
Ｒ２ｖ×Ｇ２ｖ、
Ｇ２ｖ×Ｂ２ｖ、
Ｂ２ｖ×Ｒ２ｖ、
（×はベクトルの外積を表す）
がすべて正であれば、頂点Ｒ１は図８（ａ）に示すように、三角形Ｒ２Ｇ２Ｂ２に内包されている。上記の３つの積のいずれかが負であれば、頂点Ｒ１は例えば図８（ｂ）に示すように、三角形Ｒ２Ｇ２Ｂ２に内包されていない。
【００２５】
ステップＳ３、Ｓ４のいずれにおいても内包されていないと判定されたときは、次に図７に示す交点計算を行う。
【００２６】
図７において、図９に示される線分Ｒ１Ｇ１と線分Ｒ２Ｂ２とが交わるかどうかの判定を行う（Ｓ１１）。交わる場合には、その交点をＲｔとする（Ｓ１２）。ステップＳ１１で交わらないときは、線分Ｒ２Ｇ２と線分Ｒ１Ｂ１の交点をＲｔとする（Ｓ１３）。このような交点計算は、Ｒ１はＧ２、Ｂ２よりもＲ２に近い位置にあることを前提とするものである。
【００２７】
図７のステップＳ１１における、線分Ｒ１Ｇ１と線分Ｒ２Ｂ２とが交わるかどうかの判定は、例えば以下の方法で行われる。
線分Ｒ１Ｇ１とＲ２Ｂ２とが交点Ｒｔで交わる（交点Ｒｔが線分Ｒ１Ｇ１上に存在し、かつ線分Ｒ２Ｂ２上に存在する）場合、
Ｒｔｘ＝Ｒ１ｘ＋ｕ（Ｇ１ｘ−Ｒ１ｘ）  …（１）
Ｒｔｘ＝Ｒ２ｘ＋ｖ（Ｂ２ｘ−Ｒ２ｘ）  …（２）
Ｒｔｙ＝Ｒ１ｙ＋ｕ（Ｇ１ｙ−Ｒ１ｙ）  …（３）
Ｒｔｙ＝Ｒ２ｘ＋ｖ（Ｂ２ｙ−Ｒ２ｙ）  …（４）
と表すことができ、
（Ｇ１ｘ−Ｒ１ｘ）ｕ＋（Ｒ２ｘ−Ｂ２ｘ）ｖ＝Ｒ２ｘ−Ｒ１ｘ…（５）
（Ｇ１ｙ−Ｒ１ｙ）ｕ＋（Ｒ２ｙ−Ｂ２ｙ）ｖ＝Ｒ２ｙ−Ｒ１ｙ…（６）
が成り立ち、且つ
０≦ｕ≦１、０≦ｖ≦１  …（７）
が成り立つ。
ここで、Ｒｔｘ、Ｒｔｙは、点Ｒｔのｘ、ｙ座標値、
Ｒ１ｘ、Ｒ１ｙは、点Ｒ１のｘ、ｙ座標値、
Ｇ１ｘ、Ｇ１ｙは、点Ｇ１のｘ、ｙ座標値、
Ｒ２ｘ、Ｒ２ｙは、点Ｒ２のｘ、ｙ座標値、
Ｂ２ｘ、Ｂ２ｙは、点Ｂ２のｘ、ｙ座標値である。
【００２８】
上記の式にそれぞれのｘｙ座標値を代入して、ｕ、ｖを求め、ｕ、ｖが上記の式（７）の条件を満たすならば、線分Ｒ１Ｇ１と線分Ｒ２Ｂ２とが交わることが分かる。
【００２９】
以上により、Ｒｔが求められる。同様の計算でＧｔ、Ｂｔが求められる。このようにして共通領域三角形Ｒｔ、Ｇｔ、Ｂｔのｘｙ座標値が求められたら、これらをＸＹＺ三刺激値に変換し、これを目標の輝度・色度値を表すデータとＣｔする。なお、輝度については、輝度・色度データＤＳＴｍ、ＤＳＴｓに含まれる輝度データのうちの最小のものを、目標の輝度・色度データとする。
【００３０】
マスター装置２ｍの目標輝度・色度演算部１３ｍで求められたマルチ画面の目標輝度・色度値Ｃｔは、マスター装置２ｍ内の補正係数演算部１４ｍに送られるととともに、通信インターフェース手段１２ｍにより通信ケーブル１６を介してスレーブ装置２ｓに送られ、スレーブ装置２ｓの通信インターフェース手段１２ｓで受信される。
マスター装置２ｍ及びスレーブ装置２ｓの各々において、表示される画像の輝度・色度がこの目標輝度・色度値Ｃｔに近づかせる補正が行われる。
【００３１】
以下、マスター装置２ｍの補正係数演算手段１４ｍにおける補正係数の演算について説明する。スレーブ装置２ｓにおける補正係数の演算も同様に行われる。以下の補正係数の演算において、式（８）が成り立つ加法混色モデルの表示装置を想定している。
【００３２】
【数１】
0004823660.tif 000002
【００３３】
式（８）において、α、β、γは、入力映像信号ＤＶＳｍで表される表示色における三原色である赤（Ｒ）、緑（Ｇ）、青（Ｂ）のそれぞれの成分の強さを表わし、
ＸＭａ、ＹＭａ、ＺＭａは表示色における三原色Ｒ、Ｇ、Ｂの混色割合に対応した色の三刺激値を表す。
ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂはマスター装置２ｍの特性係数（メモリ１１ｍに記憶されている輝度・色度データＤＳＴｍ）であり、α、β、γがそれぞれのＲ、Ｇ、Ｂの成分を表す信号の取り得る値の範囲中の最大値に対する比（例えばＲ、Ｇ、Ｂの各成分を表す信号が０から２５５  の範囲中の値を取り得るとき、Ｒ、Ｇ、Ｂの各成分の信号の値の、「２５５」に対する比）で表されるとき、ＸＭＱｒ、ＹＭＱｒ、ＺＭＱｒは原色Ｒを表示する際の三刺激値に等しく、ＸＭＱｇ、ＹＭＱｇ、ＺＭＱｇは原色Ｇを表示する際の三刺激値に等しく、ＸＭＱｂ、ＹＭＱｂ、ＺＭＱｂは原色Ｂを表示する際の三刺激値に等しい。
以下、上記のように、α、β、γがそれぞれ最大値に対する比で表される場合について説明する。
【００３４】
上記の式（８）は、ある表示特性ＤＳＴｍを持った表示装置に対し、ある色信号（α、β、γ）を入力すると、そのとき表示される色の三刺激値がＸＭａ、ＹＭａ、ＺＭａであることを示す。ここで、実際の投射型表示装置は黒浮きの現象を考慮しなければならない。黒浮きとは、入力信号値（０、０、０）を入力しても、即ち、黒を表示しようとする場合でも、実際は暗電流等によりわずかに発光することを言う。
黒浮きの考慮した場合、式（８）を修正したものが式（９）である。
【００３５】
【数２】
0004823660.tif 000003
【００３６】
ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂ、ＸＭＱｋ、ＹＭＱｋ、ＺＭＱｋは、マスター装置２ｍ固有の表示特性を表すデータであり、メモリ１１ｍに記憶された輝度・色度データに等しい。
【００３７】
原色Ｒ、つまり入力信号値（１、０、０）を入力した際、式（９）は下式（１０）となる。
【００３８】
【数３】
0004823660.tif 000004
【００３９】
式（１０）を整理すると、式（１１）となり、ＸＭＱｒ、ＹＭＱｒ、ＺＭＱｒは原色Ｒつまり入力信号値（１、０、０）を入力したときの表示色のＸＹＺ三刺激値と等しい。
【００４０】
【数４】
0004823660.tif 000005
【００４１】
同様に、ＸＭＱｇ、ＹＭＱｇ、ＺＭＱｇは原色Ｇを、ＸＭＱｂ、ＹＭＱｂ、ＺＭＱｂは原色Ｂを、ＸＭＱｋ、ＹＭＱｋ、ＺＭＱｋは黒をそれぞれ表示した時のＸＹＺ三刺激値に等しい。
【００４２】
入力信号に対して、目標の輝度・色度を生じさせるための補正を掛けて表示を行う場合には、入力信号と表示色との関係は下記の式（１２）で示すごとくとなる。
【００４３】
【数５】
0004823660.tif 000006
【００４４】
式（１２）で、右辺の２番目の行列の構成要素ＸＭｔｒ、ＹＭｔｒ、ＺＭｔｒ、ＸＭｔｇ、ＹＭｔｇ、ＺＭｔｇ、ＸＭｔｂ、ＹＭｔｂ、ＺＭｔｂはそれぞれ補正係数で、例えば以下のようにして定められる。
【００４５】
先に述べたように、目標とする目標輝度・色度値Ｃｔが、図４に示されるように、Ｒｔ、Ｇｔ、Ｂｔを頂点とする三角形で表されるものとする。Ｒｔの三刺激値をＸｒｔ、Ｙｒｔ、Ｚｒｔとすると、下記の式（１３）が成り立つ。
【００４６】
【数６】
0004823660.tif 000007
【００４７】
式（１３）を整理すると、下記の式（１４）となる。
【００４８】
【数７】
0004823660.tif 000008
【００４９】
式（１４）を変形して、下記の式（１５）を得ることができる。
【００５０】
【数８】
0004823660.tif 000009
【００５１】
Ｇｔ、Ｂｔについて式（１５）と同様にし、これらを整理して以下の式（１６）が得られる。
【００５２】
【数９】
0004823660.tif 000010
【００５３】
補正係数演算手段１４ｍは、目標輝度・色度演算手段１３ｍから供給された目標輝度・色度値Ｃｔ（Ｘｒｔ、Ｙｒｔ、Ｚｒｔ、Ｘｇｔ、Ｙｇｔ、Ｚｇｔ、Ｘｂｔ、Ｙｂｔ、Ｚｂｔ）と、メモリ１１ｍに記憶された輝度・色度データＤＳＴｍ、ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂ、ＸＭＱｋ、ＹＭＱｋ、ＺＭＱｋとを用いて、式（１６）の演算を行って、補正係数ＸＭｔｒ、ＹＭｔｒ、ＺＭｔｒ、ＸＭｔｇ、ＹＭｔｇ、ＺＭｔｇ、ＸＭｔｂ、ＹＭｔｂ、ＺＭｔｂを求める。
【００５４】
輝度・色度補正手段１５ｍは、補正係数演算手段１４ｍから補正係数ＸＭｔｒ、ＹＭｔｒ、ＺＭｔｒ、ＸＭｔｇ、ＹＭｔｇ、ＺＭｔｇ、ＸＭｔｂ、ＹＭｔｂ、ＺＭｔｂを受け、外部より入力された映像信号ＤＶＳｍ（α、β、γ）を補正し、ライトバルブ６ｍに出力する。
【００５５】
ライトバルブ６ｍでは、輝度・色度補正手段１５ｍより入力された信号に、特性係数ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂ、ＸＭＱｋ、ＹＭＱｋ、ＺＭＱｋで表される特性で光を強度変調し、ライトバルブ６ｍによって変調を受けた光は投射レンズ７ｍを経てスクリーン８ｍ上に映像が投射される。この結果、スクリーン８ｍには輝度・色度がほぼ目標値に補正された（目標値に近くなるように補正された）映像が得られることになる。
【００５６】
以上、マスター装置２ｍについて説明したが、スレーブ装置２ｓについても同様である。但し、スレーブ装置２ｓについては、符号ＸＭＱｒ、ＹＭＱｒ、ＺＭＱｒ、ＸＭＱｇ、ＹＭＱｇ、ＺＭＱｇ、ＸＭＱｂ、ＹＭＱｂ、ＺＭＱｂ、ＸＭＱｋ、ＹＭＱｋ、ＺＭＱｋ、ＸＭａ、ＹＭａ、ＺＭａ、ＸＭｔｒ、ＹＭｔｒ、ＺＭｔｒ、ＸＭｔｇ、ＹＭｔｇ、ＺＭｔｇ、ＸＭｔｂ、ＹＭｔｂ、ＺＭｔｂで表されるデータの代わりに符号ＸＳＱｒ、ＹＳＱｒ、ＺＳＱｒ、ＸＳＱｇ、ＹＳＱｇ、ＺＳＱｇ、ＸＳＱｂ、ＹＳＱｂ、ＺＳＱｂ、ＸＳＱｋ、ＹＳＱｋ、ＺＳＱｋ、ＸＳａ、ＹＳａ、ＺＳａ、ＸＳｔｒ、ＹＳｔｒ、ＺＳｔｒ、ＸＳｔｇ、ＹＳｔｇ、ＺＳｔｇ、ＸＳｔｂ、ＹＳｔｂ、ＺＳｔｂで表されるデータを用いる。
【００５７】
以上のようにあらかじめマスター装置２ｍとスレーブ装置２ｓの各々のメモリ１１ｍ、１１ｓに記憶されている輝度・色度データＤＳＴｍ、ＤＳＴｓを使って、マルチ画面全体で表示可能な目標輝度・色度値（Ｃｔ）を計算して、マルチ画面を構成する各投射型表示装置（２ｍ、２ｓ）にて、補正係数ＣＣＧｍ（＝ＸＭｔｒ、ＹＭｔｒ、ＺＭｔｒ、ＸＭｔｇ、ＹＭｔｇ、ＺＭｔｇ、ＸＭｔｂ、ＹＭｔｂ、ＺＭｔｂ）、ＣＣＧｓ（＝ＸＳｔｒ、ＹＳｔｒ、ＺＳｔｒ、ＸＳｔｇ、ＹＳｔｇ、ＺＳｔｇ、ＸＳｔｂ、ＹＳｔｂ、ＺＳｔｂ）を発生し、これらの補正係数を用いて、輝度・色度補正行うため、マルチ画面全体の輝度・色度のマッチングがとれる。したがって、調整者が新たにマルチ画面の個々の輝度・色度を測定して調整することなく自動的にマルチ画面のマッチングをとることができる。
【００５８】
上記の実施の形態ではマルチ画面表示装置が、２台の投射型表示装置で構成され、そのうちの１台をマスター装置で構成し、他の１台をスレーブ装置で構成しているが、マルチ画面表示装置を３台以上の投射型表示装置で構成し、そのうちの１台をマスター装置とし、他の２台以上の投射型表示装置をスレーブ装置としても良い。
【００５９】
その場合、スレーブ装置の各々の動作は、上記の実施の形態１のスレーブ２ｓと同じである。マスター装置では、複数のスレーブ装置からの輝度・色度データ（ＤＳＴｓに相当するもの）に基づいて、複数のスレーブ装置と、マスター装置の共通の色再現範囲を算出し、マルチ画面全体の目標輝度・色度Ｃｔを算出して、これを複数のスレーブ装置の各々に送信する。
【００６０】
マルチ画面表示装置を構成するすべての投射型表示装置に共通の再現範囲は、例えば任意に選んだ１番目と２番目の投射型表示装置（マスタースレーブ装置かスレーブ装置かを問わない）の共通の色再現範囲（１番目の共通色再現範囲）を求め、次に当該１番目の共通色再現範囲と３番目の投射型表示装置の色再現範囲との共通の色再現範囲（２番目の共通色再現範囲）を求め、以下同様の処理を繰り返すことにより求められる。
各スレーブ装置の補正係数演算手段では、それぞれ独自に補正係数が算出され、算出された補正係数を用いて補正が行われる。
【００６１】
実施の形態２．
上記の実施の形態１では、マスター装置２ｍにおいて、目標輝度・色度値Ｃｔを演算し、各投射型表示装置にて、目標輝度・色度値Ｃｔに補正する補正係数を演算しているが、マスター装置２ｍの補正係数演算装置１４ｍでマルチ画面表示装置を構成するすべての投射型表示装置（２ｍ、２ｓ）の補正係数を演算し、算出した補正係数をスレーブ装置２ｓに送信することとしても良い。
【００６２】
その場合のマスター装置２ｍ及びスレーブ装置２ｓの制御駆動手段１０ｍ、１０ｓの構成を図１０に示す。図示のように、マスター装置２ｍの制御駆動手段１０ｍは、図２を参照して説明した実施の形態１と同様、メモリ１１ｍと、目標輝度・色度演算手段１３ｍと、補正係数演算手段１４ｍと、輝度・色度補正手段１５ｍと、通信インターフェース手段１２ｍとを備える。但し、図２と異なり、補正係数演算手段１４ｍが通信インターフェース手段１２ｍと接続されている。
スレーブ装置２ｓの制御駆動手段１０ｓは、図２と概して同じであるが、図２の補正係数演算手段１４ｓを備えておらず、インターフェース手段１２ｓが輝度・色度補正手段１５ｓに接続されている。
【００６３】
マスター装置２ｍの補正係数演算装置１４ｍは、マルチ画面表示装置を構成するすべての投射型表示装置、即ち、マスター装置２ｍの輝度・色度データＤＳＴｍのほか、スレーブ装置２ｓの輝度・色度データＤＳＴｓをも受け、マスター装置２ｍ及びスレーブ装置２ｓの補正係数ＣＣＧｍ、ＣＣＧｓを演算し、算出したスレーブ装置２ｓ用の補正係数ＣＣＧｓを通信インターフェース手段１２ｍ、ケーブル１６、通信インターフェース手段１２ｓを介してスレーブ装置２ｓの輝度・色度補正手段１５ｓに送信する。
輝度・色度補正手段１５ｓでは、マスター装置２ｍから送信された補正係数ＣＣＧｓを用いて、映像信号に対する輝度及び色度の補正を行って、補正された映像信号を出力する。
【００６４】
実施の形態３．
本発明は、投射型表示装置に交換用光源を内蔵し、自動的に交換するような機能を備えた投射型表示装置を組合せて構成されるマルチ画面表示装置においても、適用可能である。
【００６５】
本実施の形態のマルチ画面表示装置の全体的構成は、図１に示す通りであり、マスター装置２ｍ、スレーブ装置２ｓの構成は図１１に示す通りである。図１１に示すように、マスター装置２ｍ、スレーブ装置２ｓの各々が主光源４ａｍ、４ａｓのほかに、１個の交換用光源４ｂｍ、４ｂｓを備え、さらに主光源４ａｍ、４ａｓと交換用光源４ｂｍ、４ｂｓを自動的に交換する交換手段９ｍ、９ｓ、及び共通輝度・色度演算手段１８ｍ、１８ｓを備えている。実施の形態３のマスター装置２ｍ、スレーブ装置２ｓの制御駆動手段１０ｍ、１０ｓの構成が図１２に示されている。
交換手段９ｍ、９ｓは、現に使用されている光源が主光源４ａｍ、４ａｓであるか交換用光源４ｂｍ、４ｂｓであるかを示す信号ＣＵＬｍ、ＣＵＬｓを出力する。
【００６６】
マスター装置２ｍは製造時に工場において、主光源４ａｍにて原色赤（Ｒ）、緑（Ｇ）、青（Ｂ）及び黒（ＢＫ）それぞれを表示した時のＸＹＺ三刺激値と、交換用光源４ｂｍにて原色赤（Ｒ）、緑（Ｇ）、青（Ｂ）及び黒（ＢＫ）それぞれを表示した時のＸＹＺ三刺激値をそれぞれ測定し、（ＤＳＴｍ１、ＤＳＴｍ２）として、メモリ１１ｍに記憶している。
【００６７】
同様に、スレーブ装置２ｓは製造時に工場において、主光源４ａｓにて原色赤（Ｒ）、緑（Ｇ）、青（Ｂ）及び黒（ＢＫ）それぞれを表示した時のＸＹＺ三刺激値と、交換用光源４ｂｓにて原色赤（Ｒ）、緑（Ｇ）、青（Ｂ）及び黒（ＢＫ）それぞれを表示した時のＸＹＺ三刺激値をそれぞれ測定し、それぞれの輝度・色度データ（ＤＳＴｓ１、ＤＳＴｓ２）として、メモリ１１ｓに記憶している。
【００６８】
共通輝度・色度演算手段１８ｍは、マスター装置２ｍにおいて、主光源４ａｍを使用した時の輝度・色度データＤＳＴｍ１と交換用光源４ｂｍを使用した時の輝度・色度データＤＳＴｍ２に基づいて光源４ａｍ、４ｂｍに共通の輝度・色度データを、マスター装置２ｍの輝度・色度データＤＳＴｍとして算出する。この共通の輝度・色度データＤＳＴｍの算出は、図４及び図５を参照して説明したのと同じ方法で可能である。但し、この場合、主光源４ａｍを使用したときの色再現範囲が三角形Ｒ１Ｇ１Ｂ１で表され、交換用光源４ｂｍを使用した時の色再現範囲が三角形Ｒ２Ｇ２Ｂ２で表されるものとして処理する。
【００６９】
共通輝度・色度演算手段１８ｍは上記のようにして求めた共通色再現領域ＲｔＧｔＢｔに対応するＸＹＺ三刺激値に変換したものをマスター装置２ｍの共通の輝度・色度データＤＳＴｍとしてメモリ１１ｍに記憶する。
【００７０】
スレーブ装置２ｓの共通輝度・色度演算手段１８ｓは、スレーブ装置２ｓにおいて、主光源４ａｓを使用した時の輝度・色度データＤＳＴｓ１と交換用光源４ｂｓを使用した時の輝度・色度データＤＳＴｓ２に基づいて光源４ａｓ、４ｂｓに共通の輝度・色度データを、スレーブ装置２ｓの輝度・色度データＤＳＴｓとして算出する。この共通の輝度・色度データＤＳＴｓの算出は、共通の輝度・色度データＤＳＴｍの算出と同様にして行われる。
算出された共通の輝度・色度データＤＳＴｓは、メモリ１１ｓに記憶され、さらに通信インターフェース手段１２ｓ、ケーブル１６、インターフェース手段１２ｍを介してマスター装置２ｍの目標輝度・色度演算手段１３ｍに供給される。
【００７１】
マスター装置２ｍの輝度・色度演算手段１３ｍでは、実施の形態１と同様、スレーブ装置２ｓから送信された輝度・色度ＤＳＴｓと、マスター装置２ｍ内のメモリ１１ｍに記憶されている輝度・色データＤＳＴｍとに基づき、マルチ画面全体の目標輝度・色度Ｃｔを算出し、マスター装置２ｍ内の補正係数演算手段１４ｍに供給するとともに、通信インターフェース手段１２ｍ、ケーブル１６、通信インターフェース手段１２ｓを介してスレーブ装置２ｓ内の補正係数演算手段１４ｓに送る。
【００７２】
マスター装置２ｍ内の補正係数演算手段１４ｍは、マルチ画面全体の目標輝度・色度Ｃｔに基づき、さらに現に使用されている光源が主光源４ａｍであるか交換用光源４ｂｍであるかを示す信号ＣＵＬｍ（マスター装置２ｍ内の交換手段９ｍから供給される）に応じて、メモリ１１ｍから現に使用されている光源の輝度・色度データ（ＤＳＴｍ１又はＤＳＴｍ２）を読み出して、これらに基づき、マスター装置２ｍにおいて目標輝度・色度Ｃｔを生じさせるための補正係数ＣＣＧｍを演算する。このようにして、輝度・色度補正手段１５ｍから出力される補正された映像信号をライトバルブ６ｍに供給することで、マルチ画面を構成する投射型表示装置の輝度及び色度を光源４ａｍ及び交換用光源４ｂｍのいずれが使用されていても、目標の輝度及び色度に近くなるような制御が行われる。
【００７３】
同様に、スレーブ装置２ｓ内の補正係数演算手段１４ｓは、マルチ画面全体の目標輝度・色度Ｃｔに基づき、さらに現に使用されている光源が主光源４ａｓであるか交換用光源４ｂｓであるかを示す信号ＣＵＬｓ（スレーブ装置２ｓ内の交換手段９ｓから供給される）に応じて、メモリ１１ｓから現に使用されている光源の輝度・色度データ（ＤＳＴｓ１又はＤＳＴｓ２）を読み出して、これらに基づき、スレーブ装置２ｓにおいて目標輝度・色度Ｃｔを生じさせるための補正係数ＣＣＧｓを演算する。このようにして、輝度・色度補正手段１５ｓから出力される補正された映像信号をライトバルブ６ｓに供給することで、マルチ画面を構成する投射型表示装置の輝度及び色度を光源４ａｓ及び交換用光源４ｂｓのいずれが使用されていても、目標の輝度及び色度に近くなるような制御が行われる。
【００７４】
このような構成であるので、マスター装置２ｍ、スレーブ装置２ｓの各々において、主光源４ａｍ、４ａｓが使用されている状態では、主光源４ａｍ、４ａｓに合致した補正係数が算出される一方、交換用光源４ｂｍ、４ｂｓが使用されている状態では、交換用光源４ｂｍ、４ｂｓに合致した補正係数が算出される。例えばマスター装置２ｍにおいて、交換手段９ｍの動作により、光源が交換され、主光源４ａｍが使用されている状態から交換用光源４ｂｍが使用されている状態に切り替わったときには、そのことが補正係数演算手段１４ｍに伝えられ、補正係数演算手段１４ｍでは、状態に変化に応じて補正係数を切り換える。同様に、スレーブ装置２ｓにおいて、交換手段９ｓの動作により、光源が交換され、主光源４ａｓが使用されている状態から交換用光源４ｂｓが使用されている状態に切り替わったときには、そのことが補正係数演算手段１４ｓに伝えられ、補正係数演算手段１４ｓでは、状態に変化に応じて補正係数を切り換える。
【００７５】
以上のようにあらかじめマスター装置２ｍとスレーブ装置２ｓのメモリ１１ｍ、１１ｓに記憶されている主光源使用時と交換用光源使用時の輝度・色度データを使ってマルチ画面全体で表示可能な目標輝度・色度値Ｃｔを計算して、マルチ画面を構成する各投射型表示装置にて輝度・色度補正行うため、マルチ画面全体の輝度・色度のマッチングがとれる。この場合、交換用光源でも表示可能な目標輝度・色度値となっているため、光源の寿命等で光源が自動交換された後も自動的に補正され、交換前と交換後で表示する輝度・色度はほぼ共通の目標値に等しくなり、調整者が新たにマルチ画面の個々の輝度・色度を測定して調整することなく自動的にマルチ画面のマッチングを維持することができる。
【００７６】
上記の例では、マスター装置２ｍ、スレーブ装置２ｓの双方が光源を自動的に交換することができる構成されているものとして説明したが、マスター装置２ｍ、スレーブ装置の一方のみが光源を自動的に交換することができるように構成されている場合には、自動的交換が可能な装置については、実施の形態３で説明した構成として実施の形態３で説明した処理を行わせ、自動的交換可能でない装置については、実施の形態１で説明したのと同様の構成として、実施の形態１で説明した処理を行わせることとすれば良い。
【００７７】
なお、上記の例では、補正係数演算手段１４ｍ、１４ｓが、現に使用されている光源を示す信号ＣＵＬｍ、ＣＵＬｓを受けて、メモリ１１ｍ、１１ｓから現に使用されている光源に対応する輝度・色度データ（ＤＳＴｍ１又はＤＳＴｍ２、ＤＳＴｓ１又はＤＳＴｓ２）を読み出すようにしているが、信号ＣＵＬｍ、ＣＵＬｓをメモリ１１ｍ、１１ｓに制御信号として供給し、現に使用されている光源に対応する輝度・色度データ（ＤＳＴｍ１又はＤＳＴｍ２、ＤＳＴｓ１又はＤＳＴｓ２）を出力させるようにしても良い。
【００７８】
実施の形態４．
上記の実施の形態３では、マスター装置２ｍの目標輝度・色度演算手段１３ｍにおいて、目標輝度・色度値Ｃｔを演算し、マスター装置２ｍ、スレーブ装置２ｓの補正係数演算手段１４ｓでスレーブ装置の補正係数ＣＣＧｓを演算しているが、実施の形態２と同様に、スレーブ装置２ｓ内の補正係数演算手段１４ｓを省略し、マスター装置２ｍの補正係数演算手段１４ｍでスレーブ装置２ｓの補正係数ＣＣＧｓをも演算し、スレーブ装置２ｓの輝度・色度補正手段１５ｓに送るようにしても良い。
この場合の制御駆動手段１０ｍ、１０ｓの構成の一例を図１３に示す。
【００７９】
図１３に示す制御駆動手段１５ｍは、図１２に示すものと同様であるが、マスター装置２ｍの補正係数演算手段１４ｍは、スレーブ装置２ｓのメモリ１１ｓから、現に使用されている光源（４ａｍ又は４ｂｍ）に対応した輝度・色度データ（ＤＳＴｓ１又はＤＳＴｓ２）の供給を受け、このデータと目標輝度・色度Ｃｔとに基づいてスレーブ装置２ｓのための補正係数ＣＣＧｓを演算する。
【００８０】
現に使用されている光源（４ａｍ又は４ｂｍ）に対応した輝度・色度データ（ＤＳＴｓ１又はＤＳＴｓ２）をメモリ１１ｓから補正係数演算手段１４ｍに供給する処理は、例えば、図示のように、現に使用されている光源を示す信号ＣＵＬｓをスレーブ装置２ｓのメモリ１１ｓに与え、メモリ１１ｓから、現に使用されている光源に対応する輝度・色度データ（ＤＳＴｓ１又はＤＳＴｓ２）を出力させて、これをマスター装置２ｍ内の補正係数演算手段１４ｍに供給することにより実現しても良い。
【００８１】
代わりに、現に使用されている光源を示す信号ＣＵＬｓをスレーブ装置２ｓからマスター装置２ｍの補正係数演算手段１４ｍに送り、補正係数演算手段１４ｍから、メモリ１１ｓに制御信号を送って、メモリ１１ｓから現に使用されている光源に対応する輝度・色度データ（ＤＳＴｓ１又はＤＳＴｓ２）を出力させ、これをマスター装置２ｍ内の補正係数演算手段１４ｍに供給することにより実現しても良い。
【００８２】
さらにまた、マスター装置２ｍとスレーブ装置２ｓが接続されたときや、光源が交換されたときに、スレーブ装置２ｓからマスター装置２ｍに、新たに使用されることになった光源（従って「現に使用されている光源」）に対応する輝度・色度データ（ＤＳＴｓ１又はＤＳＴｓ２）を送信し、メモリ１１ｍに格納しておき、補正係数演算手段１４ｍが必要に応じてメモリ１１ｍから読み出すようにしても良い。
【００８３】
マスター装置２ｍの補正係数演算手段１４ｍで算出された補正係数ＣＣＧｓは、スレーブ装置２ｓの輝度・色度補正手段１５ｓに供給され、輝度・色度演算手段１５ｓでは、補正係数ＣＣＧｓにより映像信号ＤＶＳｂに対する補正を行う。
【００８４】
実施の形態５．
上記の実施の形態３や実施の形態４では、マスター装置２ｍ及びスレーブ装置２ｓ内に、主光源４ａｍ（又は４ａｓ）を使用した時の輝度・色度データＤＳＴｍ１（又はＤＳＴｓ１）と交換用光源４ｂｍ（又は４ｂｓ）を使用した時の輝度・色度データＤＳＴｍ２（又はＤＳＴｓ２）に基づいて、複数の光源に共通の輝度・色度データＤＳＴｍ（又はＤＳＴｓ）を、投射型表示装置の輝度・色度データとして算出し、当該投射型表示装置の表示特性記憶手段１１ｍ（又は１１ｓ）に記憶させる共通輝度・色度演算手段１８ｍ（又は１８ｓ）を有するが、このような共通輝度・色度演算手段１８ｍ、１８ｓを設ける代わりに、主光源４ａｍ、４ａｓを使用した時の輝度・色度データＤＳＴｍ１、ＤＳＴｓ１と交換用光源４ｂｍ、４ｂｓを使用した時の輝度・色度データＤＳＴｍ２、ＤＳＴｓ２を、マスター装置２ｍの目標輝度・色度演算手段１３ｍに送り、目標輝度・色度演算手段１３ｍで、すべての場合（即ち、マスター装置２ｍで主光源４ａｍを使用した場合、マスター装置２ｍで交換用光源４ｂｍを使用した場合、スレーブ装置２ｓで主光源４ａｓを使用した場合、及びスレーブ装置２ｓで交換用光源４ｂｓを使用した場合）に共通の目標輝度・色度Ｃｔを算出するようにしても良い。
【図面の簡単な説明】
【００８５】
【図１】この発明の実施の形態１のマルチ画面表示装置１の構成を示す概略図である。
【図２】実施の形態１の投射型表示装置の概略を示す図である。
【図３】実施の形態１の投射型表示装置の制御駆動手段を示すブロック図である。
【図４】互いに異なる２つの色再現範囲の一例を示す図である。
【図５】互いに異なる２つの色再現範囲の他の例を示す図である。
【図６】目標色再現範囲の一つの頂点を求める方法を示すフローチャートである。
【図７】目標色再現範囲の一つの頂点を求める方法を示すフローチャートである。
【図８】（ａ）及び（ｂ）は、図６の内包判定の方法を説明する図である。
【図９】図７の交点判定の方法を説明する図である。
【図１０】本発明の実施の形態２の投射型表示装置の制御駆動手段を示すブロック図である。
【図１１】発明の実施の形態３の交換用光源を内蔵した投射型表示装置の概略を示す図である。
【図１２】実施の形態３の投射型表示装置の制御駆動手段を示すブロック図である。
【図１３】実施の形態４の投射型表示装置の制御駆動手段を示すブロック図である。
【符号の説明】
【００８６】
１  マルチ画面表示装置、  ２ｍ  マスター投射型表示装置、  ２ｓ  スレーブ投射型表示装置、  ４ｍ、４ｓ  光源、  ４ａｍ、４ａｓ  主光源、  ４ｂｍ、４ｂｓ  交換用光源、  ５ｍ、５ｓ  ミラー、  ６ｍ、６ｓ  ライトバルブ、  ７ｍ、７ｓ  投射レンズ、  ８ｍ、８ｓ  スクリーン、  ９ｍ、９ｓ  交換手段、  １０ｍ、１０ｓ  制御駆動手段、  １１ｍ、１１ｓ  メモリ、  １２ｍ、１２ｓ  通信インターフェース手段、  １３ｍ、１３ｓ  目標輝度・色度値演算手段、  １４ｍ、１４ｓ  補正係数演算手段、  １５ｍ、１５ｓ  輝度・色度補正手段、  １６  通信ケーブル、  １８ｍ、１８ｓ  共通輝度・色度演算手段。
【図１】
0004823660.tif 000011
【図２】
0004823660.tif 000012
【図３】
0004823660.tif 000013
【図４】
0004823660.tif 000014
【図５】
0004823660.tif 000015
【図６】
0004823660.tif 000016
【図７】
0004823660.tif 000017
【図８】
0004823660.tif 000018
【図９】
0004823660.tif 000019
【図１０】
0004823660.tif 000020
【図１１】
0004823660.tif 000021
【図１２】
0004823660.tif 000022
【図１３】
0004823660.tif 000023